(57)【特許請求の範囲】
【請求項１】
熱可塑性エラストマ材料で一体的に構成され、基部の平面上に少なくとも第一の表面を有する前記基部と、
前記基部の前記第一の表面から突出し、互いに近接または隣接して配設される複数の突起と、を備え、
前記複数の突起の各突起は、使用時に、皮膚を突き刺さず一時的な押し跡を残す鋭利でない先端部を有するように構成され、
前記複数の突起の各突起は四角錐状からなるピラミッド形状を有しており、前記ピラミッド形状は４５度の勾配を有する前記基部に近い第一の傾斜と前記第一の傾斜より急勾配ではない３０度の勾配を有する前記先端部に近い第二の傾斜を有しており、使用者の皮膚が意図的に接触する方向に突出する突起であり、前記突起は前記基部の最上部において幅１．２７ｃｍ（０．５インチ）〜１．９１ｃｍ（０．７５インチ）を有し、前記複数の突起は前記基部の第一の端部から前記基部の第二の端部に向かって高さが変化しており、前記熱可塑性エラストマ材料は０．０４〜０．５２Ｗ*ｍ-1*Ｋ-1の熱伝導率を有することを特徴とする持ち運び可能なマット。
【請求項２】
前記基部は、固体である請求項１に記載の持ち運び可能なマット。
【請求項３】
前記基部は、一つ以上の開口部を有する請求項１に記載の持ち運び可能なマット。
【請求項４】
前記基部は、１．２７ｃｍ（０．５インチ）〜１．５９ｃｍ（０．６２５インチ）の厚みを有する請求項１に記載の持ち運び可能なマット。
【請求項５】
前記基部は、前記基部の端部の近くで、１．２７ｃｍ（０．５インチ）の第１の厚みを有し、第２の厚みは、前記基部の中心の近くで１．５９ｃｍ（０．６２５インチ）である請求項１に記載の持ち運び可能なマット。
【請求項６】
前記複数の突起は、前記基部の第１の端部から前記基部の第２の端部まで、高さが異なる請求項１に記載の持ち運び可能なマット。
【請求項７】
前記複数の突起の各突起は、０．２５ｃｍ（０．１０インチ）〜０．７６ｃｍ（０．３０インチ）の高さを有する請求項１に記載の持ち運び可能なマット。
【請求項８】
前記熱可塑性エラストマ材料は、デュロメータ計測において１０〜１５０のＳｈｏｒｅＡの硬度を有する請求項１に記載の持ち運び可能なマット。
【請求項９】
前記基部の第一の表面以外の第二の表面から突出する複数の尖頭の突起をさらに含む請求項１に記載の持ち運び可能なマット。
【請求項１０】
前記基部は複数の基部を有する一組の基部を有し、前記一組の基部は、２つの半分の部分を含む請求項１に記載の持ち運び可能なマット。
【請求項１１】
前記２つの半分の部分は、実質的に左右対称である請求項１０に記載の持ち運び可能なマット。
【請求項１２】
前記２つの半分の部分は、相補的である請求項１０に記載の持ち運び可能なマット。
【発明の詳細な説明】
【技術分野】
【０００１】
本出願は、２０１２年１１月２０日に出願した米国仮出願番号の６１／７２８，４６８「ＰＯＲＴＡＢＬＥ  ＭＡＴ  ＵＳＥＦＵＬ  ＦＯＲ  ＴＥＭＰＯＲＡＲＩＬＹ  ＲＥＤＵＣＩＮＧ  ＡＰＰＥＡＲＡＮＣＥ  ＯＦ  ＣＥＬＬＵＬＩＴＥ  ＡＮＤ  ＩＮＣＲＥＡＳＩＮＧ  ＬＯＣＡＬ  ＣＩＲＣＵＬＡＴＩＯＮ」の優先権の利益を請求する。
【０００２】
本開示は、一般に持ち運び可能なマットに関する。より詳しくは、本明細書に開示の実施形態は、局部的な血行を一時的に改良し、堆積脂肪（セルライト、cellulite）の見た目を小さくし、軽い疼痛や痛みを緩和し、軽い筋けいれんを軽減するために用いるのに適する新しいタイプの持ち運び可能なマットに関する。
【背景技術】
【０００３】
調査によると、女性および一部の男性のかなりの割合の人がセルライトを有し、そのセルライトは遺伝的であり、しかも年齢とともに目立つようになる、あるいは食事、運動不足、ホルモンの変化および／または体重の変化により影響されることもある。セルライトは、一般に、腹部、臀部および大腿に見られるが、身体の他の部分にもできる。セルライトは、皮下に、時にカテージチーズのような外観に例えられる不均一な見た目が形成されることである。一般的な考えとして、セルライトが存在することによる窪んだ皮膚の見た目は好ましいものではない。
【０００４】
セルライトのあるところに局部的な血液循環を起こすように刺激し、脂肪細胞に存在する過剰な体液のリンパ性排出（リンパドレナージュ、lymphatic drainage）を促進する効果を有する機械的なマッサージによって、セルライトの見た目を一時的に減少させたり、除去したりできるものと理解されている。機械的なマッサージの効果としては、いずれも、一時的にセルライトを減少させることができる。
【０００５】
このことを理解し、一時的にセルライトの見た目を減少させるために、多くの方法が提案されている。例えば、ある方法として、一時的にセルライトの見た目を減少させるために、カフェイン（Caffeine）またはアミノフィリン（Aminophylline）等を含むクリームを使用している人がいる。しかしながら、この種のクリームは扱いにくく、直接的な結果が出ず（実際に、毎日使用しても４〜６週間でセルライトを減少させることはできない）、メンテナンスが難しく、継続することがさらに難しい。結果が良かったとしても、経常コストはかなり高くなる。さらに、局部的に塗布するローションおよびクリームの多くは、一週間で複数回の塗布を必要とし、薬または化学製品の使用を必要とすることもあり、これが皮膚に刺激を与えることになり、望ましい結果を達成し続けるためには、時間をかけて一貫して使う必要がある。
【０００６】
別の例として、一時的にセルライトの見た目を減少させるように設計された手持ち可能なサイズの治療的なマッサージ装置があるが、頻繁に使用する必要があるため、使用者側にとってかなりの時間を要することになる。さらに、エンダモロジー（endermologie）またはセルラーゼ処置（cellulaze treatment）等で使用されるサービス／処置を受ける際には、使用者が予約しスペシャリストの店舗で実施してもらう必要があり、「在宅」での設備はない。店舗での処置の多くは、セルライトの見た目を減少させる点において類似の結果をもたらすかもしれないが、店舗での処置は、そのスペシャリストの店舗に複数回訪問する必要がある。一時的な結果のためだけに、費用がかさみ、より直接的ではあるが、通常、時間を浪費することになる。さらに、処置が直接的になればなるほど、医療提供者による技能スキルがより多く求められ、さらに技能者に依存することになる。これらの直接的な手法では、傷跡ができてしまう危険がある。これは望ましくない結果であり、痛みを伴うことがある。
【先行技術文献】
【特許文献】
【０００７】
【特許文献１】米国特許番号６５１７４９９号
【特許文献２】米国特許番号６５１１４４５号
【特許文献３】米国特許番号６４４３９１４号
【特許文献４】米国特許番号５８２０５７３号
【特許文献５】米国特許番号５４０２５４５号
【特許文献６】米国特許番号５６２８０７９号
【特許文献７】米国特許番号５２５００６７号
【特許文献８】米国特許番号５１７０７７８号
【特許文献９】米国特許番号５１３４７３５号
【特許文献１０】米国意匠特許番号２９４２１２号
【特許文献１１】米国特許番号４６１４０００号
【特許文献１２】米国特許番号４０８６９２２号
【特許文献１３】米国特許番号３９７００７８号
【特許文献１４】米国特許番号６９８８９７９号
【特許文献１５】米国特許番号５６３９１４５号
【特許文献１６】米国特許番号５８２０５７３号
【特許文献１７】米国特許番号６１５３２０７号
【特許文献１８】米国特許番号４８２９９８７号
【０００８】
セルライトを減少させる装置の方法の例は、以下の特許文献で確認できる。
【０００９】
特許文献１は、回転素子を備えるマッサージ装置を開示している。これは、吸込筺体を完備する手持ち可能な装置である。往復運動式の直線運動が、マッサージアプリケータローラに伝達され、セルライトの処置において人間の組織のマッサージを促進する。
【００１０】
特許文献２は、ゲルディスペンサ（gel dispenser）を備える手持ち可能なセルライトマッサージシステムに関する。この装置は、該当部位をマッサージするために身体のその部位を吸引し、皮膚を治療するためにジェルを塗布する。
【００１１】
特許文献３は、セルライトを予防し処置するための装置および方法に関する。セルを崩壊または破壊するために、放射線または適切な周波数を作用させることにより、組織が生成または強化される。
【００１２】
特許文献４は、ボディ輪郭マッサージ装置および方法に関する。この装置は、輪郭を描くモジュールおよび剛性圧力を有する先端部またはブレードで構成される場合、成人の人体の長さの輪郭を描く剛性を有する平台で構成される。この装置は、臀部、背面、肩および首モジュールを含むマッサージ素子を配置することによって作動する。人の背面の輪郭に一致するように、先端部またはブレードを加圧する。所望の治療効果が得られるよう、人を装置に向いて上向きに寝かせ、装置で全身に処置を施す。
【００１３】
特許文献５は、自在な循環を可能にし、使用者の尾てい骨を保護するための整形シートクッションを教示する。多数の突起を有するクッションが開示されている。
【００１４】
特許文献６は、突起を有するシートクッションに関する。シートクッションは、可撓性の基体およびパッドを有する。パッドは、間隔を置いて互いに平行する突起のパターンを有する。ここで、クッションがセルライトを軽減するように人の臀部または大腿のマッサージを行うことが示されている。
【００１５】
特許文献７は、複数の鋭利な皮膚浸透突出部を有するボディ処置パッドに関する。このパッドには、シート表面に沿って間隔を置いた位置で、同様に形成された多数の剛性のあるブロックを有する可撓性バッキングシートが含まれている。各ブロックは、シートから延在する少なくとも一つの先細な突出部を有する。パッドが人体に対して圧力をかけている状態に保たれると、鋭利な突出部は、皮下で神経終末を刺激するために、鍼療法の素子として作用することで、血行を良くし痛みを和らげる。
【００１６】
特許文献８は、使用者の背面と平坦な面との間に設置することで、背面をマッサージできるボディマッサージ装置に関する。
【００１７】
特許文献９は、多層を有するマットレスクッションに関する。クッションの３つの別々の層は、それぞれ異なる体積弾性係数を有する。人が層の上から押し下げると、体重に比例して支持する。
【００１８】
特許文献１０は、上方へ延長する突出部を有する座席パッドの設計に関する。
【００１９】
特許文献１１は、上方へ延在する突出部を利用する、床ずれ防止のための患者用アンダーシートに関する。
【００２０】
特許文献１２は、人体の部位を含むセルライトを処置するための方法と装置に関する。これは、近接して配設されたボールを支持する基部を使用する手持ち可能な装置である。この装置は、人体の部位をマッサージし揉むための手持ち可能なである。
【００２１】
特許文献１３は、人体のセルライトの部位をマッサージするために、マッサージローラーを手で把持して使用するハンドローラマッサージ装置に関する。
【００２２】
特許文献１４は、運動用ベンチを使用する方法に関し、運動用ベンチの最上部の織物加工面を含み、セルライト減少させるための運動を行うために用いられる。
【００２３】
特許文献１５は、持ち運び可能な、可撓性を有する、ヒンジ結合されたクッションに関し、血行の問題、緊張した筋肉等に苦しむ人たちに効果のある材料特性およびバイブレータを有する。
【００２４】
特許文献１６は、使用者が装置上で上向きに寝ると、人体の全長に合わせてマッサージ効果を生むモジュールを有するマッサージ装置に関する。
【００２５】
特許文献１７は、衣類の内側の表面に結合された化学物質を放出することで皮膚の治療を行う衣類に関する。
【００２６】
特許文献１８は、セルライトを一時的に減少させるために、人体をミネラル溶液（mineral solution）およびボディラップ（body wrap）で処置する方法に関する。
【発明の概要】
【発明が解決しようとする課題】
【００２７】
これらの例が示すように、一時的にセルライトの見た目を減少させる従来の方法には効果があるが、費用、使いやすさ、携帯性、ユーザの身体の配置位置の変化、人のサイズ、マットの配置に適応するための椅子のサイズおよび性能等の、全体の成功を徐々に損なっていくユーザコンプライアンス（user compliance）の問題が生じることになる。従って、革新および改良のために十分な余地がある。
【課題を解決するための手段】
【００２８】
本開示の目的は、持ち運び可能なマットを提供することであり、それは、セルライトの見た目を一時的に減らし、局部的な血行を高め、軽微な筋肉の痛みを一時的に緩和し、前述の従来の方法の欠点をもたらすことなく、筋けいれんを軽減することができる。いくつかの実施形態において、持ち運び可能なマットは、一つ以上の別々のパッドを有することができる。各パッドは、それだけで使用することもできるし、一つ以上のパッドとともに使用することもできる。使用時に、持ち運び可能なマットは、皮膚の部位と接触する突起を有する織物加工面を有し（例えば、着座の場合は使用者の大腿および臀部、休息位置にある場合は使用者の首および／または背面）、使用者の部位を最小限に適度に動かすことで、その部位の治療的なマッサージを行い、その皮膚に織物加工面からの圧痕を使用者側に残す。使用後の接触後の期間に、局部的に血行がよくなることで皮膚の表面は滑らかになる。
【００２９】
いくつかの実施形態において、持ち運び可能なマットは、熱可塑性エラストマ材料で一体的に構成され、前記基部の平面上に少なくとも第一の表面を有する基部を有してもよい。いくつかの実施形態において、熱可塑性エラストマ材料は、約０．０４〜０．５２のＷ＊ｍ−１＊Ｋ−１の熱伝導率を有してもよい。
【００３０】
いくつかの実施形態において、前記基部は、個体でもよく、また一つ以上の開口部を有してもよい。いくつかの実施形態において、前記一組の基部は、２つの半分の部分を含んでもよい。前記２つの半分の部分は、実質的に左右対称あるいは相補的でもよい。いくつかの実施形態において、前記基部は、約０．５インチ〜約０．６２５インチの厚みを有することができる。いくつかの実施形態において、前記基部は、端部の近くで、約０．５インチの第１の厚みを有し、前記基部の中心の近くで約０．６２５インチでもよい。
【００３１】
いくつかの実施形態において、前記基部の前記第１の表面は、互いに近接または隣接して配設される複数の突起を有し、持ち運び可能なマットの織物加工面を成形している。前記複数の突起の各突起は、先端部を有し、同じかまたは同様の幾何学的構造を有していてもよい。いくつかの実施形態において、前記複数の突起の各突起は、約０．１０インチ〜０．３０インチの高さを有していてもよい。いくつかの実施形態において、前記複数の突起は、デュロメータによる計測において１０〜１５０ＳｈｏｒｅＡの硬度を有する硬度または反発力を有してもよい。前記持ち運び可能なマットの使用時に、このように構成された前記複数の突起は、皮膚を突き刺さず一時的な押し跡を残すことができる。
【００３２】
具体的には、使用者が、マットに着座またはマット上で休息することで、本明細書に開示の持ち運び可能なマットの実施形態を用いる場合、持ち運び可能なマットの織物加工面に対して、使用者がその体重を付加することにより、有効な治療的なマッサージができ、皮膚の表面に持ち運び可能なマットの織物加工面を反映させる圧痕を残す。短い使用時間（例えば、１５分以内）の後、使用者は、わずかに暖かさを感じることができる。使用者の皮膚温度の増加は証明可能なものであり、使用者の身体が持ち運び可能なマットの圧痕効果に反応することにより、局部的に血行がよくなる。（例えば、３０分の使用後）持ち運び可能なマットから離れた後で、局部的に血行が良くなるので、圧痕のある皮膚表面が滑らかになる（例えば、１時間以内に）。使用者は、「マッサージを受けた」部位のセルライトの見た目が一時的に小さくなり、軽微な筋肉の痛みが一時的に緩和され、および／または筋けいれんが軽減される、という効果を得ることができる。
【００３３】
いくつかの実施形態において、持ち運び可能なマットは、例えば、持ち運び可能なマットを保管し持ち運ぶためのケースを含むキットの一部でもよい。
【００３４】
他にも多くの実施形態が可能である。
【発明の効果】
【００３５】
本明細書に開示の実施形態は、前述の従来の方法に比べ、多くの利点を提供することができる。例えば、持ち運び可能なマットは、どこででも用いることができ、その費用は、他の製品またはサービスの保守の手続きや繰り返し発生する費用と比べると、わずかなものである。さらに、本明細書に開示の持ち運び可能なマットを用いることによる効果として、薬または化学製品を必要とせず、店舗を訪問する必要はなく、高価な装置／施設／クリーム／場所も必要とせず、１時間以内の使用ですぐ効果があることを示した。実施形態は、希望に応じて、頻繁に（またはまれに）用いることができる。３０分間着座するという自身の日課に組み込んで使用することができる。
【００３６】
本開示の態様は、以下の説明および添付の図面とともに考慮することで、より理解できるであろう。しかしながら、以下の説明では、開示のそれぞれの実施形態およびその多数の具体的な詳細を示すが、それらに限定されないことが理解されるべきである。多くの置換、変形例、加算および／または再配列は、その趣旨から逸脱することなく、開示の範囲内においてなされ、本開示は、これらすべての置換、変形例、加算および／または再配列を含む。
【００３７】
添付の、本明細書の一部を構成する図面は、本開示の特定の態様を示すために含まれる。図面に例示的に示され、ゆえに非限定的な実施形態を参照することで、本開示について、より容易に明瞭なものとなるであろう。可能な場合は、同じ参照番号は、同じまたは同様の特徴（要素）を参照するために、図面全体にわたって用いられる。図面は、必ずしも一定の比率で描画されているというわけではない。
【図面の簡単な説明】
【００３８】
【図１Ａ】持ち運び可能なマットの一実施形態の最上部の、断面詳細図である。
【図１Ｂ】持ち運び可能なマットの一実施形態の最上部の、断面詳細図である。
【図１Ｃ】持ち運び可能なマットの一実施形態の最上部の、断面詳細図である。
【図１Ｄ】持ち運び可能なマットの一実施形態の最上部の、断面詳細図である。
【００３９】
【図２】持ち運び可能なマットの一部の一実施形態の詳細斜視図である。
【００４０】
【図３】持ち運び可能なマットの一実施形態の側面図である。
【００４１】
【図４】持ち運び可能なマットの一実施形態の他の側面図である。
【００４２】
【図５】持ち運び可能なマットの実施形態の側面図である。
【００４３】
【図６】持ち運び可能なマットの実施形態の側面図である。
【００４４】
【図７】持ち運び可能なマットシステムの各種実施形態の上面図である。
【００４５】
【図８】持ち運び可能なマットシステムの各種実施形態の上面図である。
【００４６】
【図９】持ち運び可能なマットシステムの各種実施形態の上面図である。
【発明を実施するための形態】
【００４７】
本明細書において開示される実施形態は、一時的にセルライトの見た目を減少させ、一時的に局部的な血行を増加させ、一時的に軽微な筋肉の痛みを緩和し、一時的に筋けいれんを軽減するという効果を有する、持ち運び可能なマット、システムおよびキットを提供する。軽微な背面の痛みの緩和または上下の脊髄部位に対する筋けいれん等、他の用途に用いることもできる。
【００４８】
いくつかの実施形態において、持ち運び可能なマットは、熱可塑性エラストマ等、可撓性の材料で構成することができる。他の材料も用いることができる。例えば、持ち運び可能なマットは、ゴム、プラスチック、ガラス、ガラス繊維、金属、竹、木、硬いプラスチックまたは複合材料で構成することができる。非限定的な例として、使用者の体重によって突起が実質的に圧縮されることなく、使用後の皮膚に、可視の模様または痕跡を残すことができ、形成される押し後が確実に意図する形状およびサイズとなるように、持ち運び可能なマットは、十分に高いデュロメータ（例えば、１０〜１５０ＳｈｏｒｅＡ）を有する材料で構成されていてもよい。持ち運び可能なマットは、座っていたり、使用者が横向き、仰向き、下向きに寝ていたりする等、さまざまな位置において使用可能となる形状因子を有する。
【００４９】
いくつかの実施形態において、本明細書に開示の持ち運び可能なマットは、単一材料で一体的に構成することができる。いくつかの実施形態において、本明細書に開示の持ち運び可能なマットは、射出成形プロセスを用いて製作することができる。いくつかの実施形態において、本明細書に開示の持ち運び可能なマットは、無孔であり、縫い目または穴を有していない。これらの特徴により、体液、ほこり、化学製品および／または高圧水が、持ち運び可能なマットに浸透しないように保護されている。このため、食器洗い機で容易に洗浄することができる。
【００５０】
いくつかの実施形態において、持ち運び可能なマットは、一つ以上のパッドを含むことができ、それぞれパッド上に突起のパターンを有する。いくつかの実施形態において、それぞれの突起（突出部ともいう）は、三次元（３Ｄ）形状とすることができる。３Ｄ形状は、四面体または角錐とすることができるが、実施形態として限定されるものではない。人がマットに座る際に、各突起が皮膚および接触箇所で、皮膚を貫通しないが所望の痕跡を残すように構成される先端部を有する限り、他の幾何学的な３Ｄ形状でも可能である。これらの突起は、すべての突起において同一とすることもできるし、実質的に同一とすることもできる。さらに、いくつかの実施形態において、突起は、互いに等間隔に設置することができる。いくつかの実施形態において、突起は、同じ高さまたは様々な高さを有することができる。パッドごとの突起の数は、個々の突起のサイズおよび／または形状と同様に、サイズおよび／または基底にあるパッドの形状により、実施ごとに変えることができる。
【００５１】
マットの単位領域ごとの突起の測定値を、マットの突起密度ということもある。２つの隣接する突起間の距離（例えば、先端部、端部および／または基部の間を測定するように）が、最大閾値を上回らないように、突起密度を選択してもよい。持ち運び可能なマットの突起が使用者の体重を支持することができ、使用者の皮膚と任意の一つの突起との接触により、その突起によって使用者に損傷または過剰な痛みを生じさせないように、この最大閾値は、個々の使用者により変えても良い（例えば、年齢、性別、皮膚の厚み、皮膚の感度等）。
【００５２】
マットの突起密度は、各突起の硬度、各突起の形状、各突起の先端部の形状および／またはその他の特徴によって変えることもできる。一実施形態において、約８０ＳｈｏｒｅＡの硬度を有するピラミッド状の突起を有するマットの突起密度は、（単位領域の一例である）平方インチ当たり約２〜３の突起である。しかしながら、隣接する突起との間にどの程度の空間があるか、各突起のための基部のサイズおよび／または形状、各突起の高さ等に応じて、平方インチ当たり、より多い突起でもより少ない突起でもよい。例えば、丸みのある突起を有するマットは、角のある突起を有するマットより低い突起密度としてもよい。１００ＳｈｏｒｅＡの硬度の突起を有するマットは、５０ＳｈｏｒｅＡの硬度の突起を有するマットより高い突起密度を有していてもよい。０．５インチ延在する突起を有するマットは、０．２５インチ延在する突起を有するマットより低い密度を有していてもよい。
【００５３】
いくつかの実施形態において、本明細書に開示の持ち運び可能なマットは、２つ以上の別々のパッドを有することができ、それぞれ、パッド上に配置される突起のパターンを有する。これらのパッドは、同じまたは異なる突起のパターンを有することができ、同じまたは異なる材料で構成されてもよい。これらのパッドは、同じまたは異なる形状を有してもよい。一実施形態において、持ち運び可能なマットは、２つの対称的に成形されたパッドで構成することができる。一実施形態において、パッドは矩形である。他の形状も可能であると予想される。例えば、パッドは、楕円形、不規則な形状、正方形、円形、八角形等の形状を有することができる。パッドは、別々に、または、同時に一緒に用いることができる。マットのサイズは、マット表面接触領域を全体とするために、充分な皮膚接触ができるように延長することができる。
【００５４】
本明細書に開示の持ち運び可能なマットのパッドは、様々な付属品機構を使用することで、永久的にあるいは一時的に互いに取り付け可能となる。例えば、一実施形態において、２つ以上のパッドは、フックおよびループ配列により、互いに着脱自在に取り付けることができる。他の例として、いくつかの実施形態において、長さが同じかまたは異なる一以上の可撓性ケーブルまたはコードを用いて、持ち運び可能なマットを形成するために２つ以上のパッドを接合して使用してもよい。他の付属品機構も使用可能である。
【００５５】
所望のように複数のパッドを分離したり取り付けたりすることができるので、使用者がパッドを個々の身体の輪郭に対して、配置および／または一致させることができる。例えば、使用者が２つのパッドを配置する。使用者がオフィスの椅子に配置したマットに座る場合、大腿の下で、「Ｖ」パターンを形成するように、対応する角部を接合してもよい。使用者が飛行機の座席上に配置したマットに座る場合は、「ＩＩ」パターンを形成するために同じパッドを平行に配置してもよい。この例では、飛行機のシートの方が小さいため、使用者のオフィスの椅子よりも制限がある。しかしながら、座席に合うパッドおよびそれが使われる位置の向きまでも、使用者が調整することができる。従って、本明細書に開示の持ち運び可能なマットは、使用者のサイズ、使用位置、座席制限等の違いに適応することができる。
【００５６】
いくつかの実施形態において、パッド上の突起は、パッドの一つ以上の側方に向かって漸減することができる。例えば、膝（膝窩部）より少し上の大腿の下に配置されるように設計されているパッド上の突起の高さは、パッドの一つの側方に向かって漸減することができる。この領域の突起の高さの減少分は、膝のくぼみ（knee pit）への圧力を最小限にすることができ、より良好な血行およびリンパ排出を可能とし、血流を制限する可能性を軽減することができる。他の例として、パッド上の突起の高さは、骨盤の解剖学的構造に従って漸減することができ、パッドと坐骨棘との接触領域で、より快適なものにすることができる。他の例として、パッドを使用するときに、使用者が前のめりの位置で、もたれる／座る傾向となるようにすることで、人間工学的に構成することができる。
【００５７】
これらの突起は、一定の時間、例えば、おおむね一時間程度、突起のパターンを有するまたは織物加工されるマットの表面に、皮膚が接触した場合、セルライトの見た目を減少させることができるように構成される。脂肪組織も織物加工面に対して固定されるように、パターンを有する表面は、皮膚とマットの表面に対して比較的固定している表面との接触を維持するようにしている。通常のデスクでの動きに伴って人体の位置が移動する等、人体にわずかな動きがある場合と同様に、マットは、その織物加工面に対する使用者の体重に影響を与えることができる。
【００５８】
より詳しくは、突起の模様は、マットが使用者の臀部および大腿の下に配置される場合、突起が使用者の皮膚に圧痕をつけることができるように、構成または配置することができる。使用者がマット上に座る場合、自身の体重および自然な運動（受動的なマッサージ）により、突起が破壊することはないが、皮膚に入り込み、皮膚が押し跡を有する圧痕ができ、機械式のマッサージを行っているところから流体を押し出すようにすることができる。突起によって生じる押し跡に対処するために、その部位（紅斑）への血流を増加させることによって、突起からの圧力が皮膚に押し跡を作ることもありえるので、使用者の体が自然に反応する。使用する無孔材料が加温効果をも強化するので、使用者の皮膚の温度は使用している間に高くなる。例えば、一日につき１回か２回、約３０分間、マットに座った後で、マットを使用者から離す（例えば、マットに座るか横になっていた使用者が立ち上がる）。押し跡は皮膚から次第に消え、局部部位に対する血行が鎮静し始めると、この両方の効果により、セルライトの見た目を一時的な減少させるという効果が生じる。
【００５９】
本明細書に開示の持ち運び可能なマットの実施形態として、タブレットコンピュータと同じ程度の形状および重量を有することができ、持ち運び、移動および保管が容易である。非限定的な例として、一組の別々の２つのパッドを有するマットは、約２ポンド以下の重さであり、カーシート、オフィスの椅子、自宅またはレストランの典型的な着席状態で容易に使用することができる。
【００６０】
本明細書に開示の持ち運び可能なマットの実施形態として、実際の機能が容易に明らかとならないように、設計的な要素を組み込むことができ、その使用目的を明らかにすることに対する懸念がある使用者が、他人に気づかれるという心配なく持ち歩くことができる。例えば、材料は、染料および／または表層塗料を行うことにより色付けすることができる。
【００６１】
本明細書に開示の持ち運び可能なマットの実施形態として、破損を受けたり着座面を破損したりすることなく、着座面の大部分に一致させることができる。
【００６２】
本明細書に開示の持ち運び可能なマットの実施形態として、掃除するのが容易である。例えば、持ち運び可能なマットは、普通の家庭の食器洗い機で洗浄することもできるし、手で洗うこともできる。食器洗い機の熱を繰り返し使用してもマットの完全性を損なうことがなく、高温の車に放置する等、マットは極端な熱に耐えることができる。
【００６３】
本明細書に開示の持ち運び可能なマットの実施形態として、一時的にセルライトの見た目を減少させ、一時的に局部の血行を増加させ、一時的に軽微な筋肉の痛みを緩和したり、局部的に筋肉を弛緩させたりするための、危険度の低い解決策を提供することができる。本発明および本発明のさまざまな特徴およびその有効な効果を有する詳細を、添付の図面に例示し、以下の説明において詳述する非限定的な実施例を参照して、より完全に説明する。本発明を不必要に不明瞭にしないよう、周知の製造技法、構成要素および装置に関する説明を省略する。しかしながら、本発明の好ましい実施形態を示すと共に、詳細な説明および具体例は、例示するためのものであるが、限定するためのものではない。基礎をなす発明の概念の範囲内でのさまざまな置換、修正、追加および／または再編成が、この開示から当業者にとって明らかであろう。
【００６４】
図１Ａ〜１Ｄは、持ち運び可能なマット（装置１００）の一実施形態の最上部の断面詳細図を示す。一つ以上の図１Ａ〜１Ｄに図示するように、装置１００には、長さＬ１およびＬ２を有する端部を有する基部１２０が形成されていてもよい。基部１２０は単一の厚み（例えばＴ１）を有するか、または厚みを変えることができ、２つ以上の厚み（例えばＴ２およびＴ３）を有することができる。装置１００は、単一部材として形成してもよい。あるいは、装置１００のいくつかの部分を形成してから、機械的、化学的、または、熱的に、形成装置１００に結合または取り付けられてもよい。一実施形態において、Ｔ１は、０．１２５インチでもよい。一実施形態において、Ｔ１は、０．１６５インチでもよい。一実施形態において、Ｔ２は０．１２５インチでもよく、Ｔ３は０．１６５インチでもよい。Ｔ１、Ｔ２およびＴ３は、他の値としてもよい。
【００６５】
基部１２０は、使用、輸送、保管または洗浄に関して、所望の特徴を有するように選択された材料で形成することができる。例えば、装置１００は、使用および／または輸送の間の取扱いが容易となるように、固体で形成されていてもよい。あるいは、一以上の開口部（図示せず）を有する基部１２０で形成されていてもよい。装置１００も一以上の特徴を有する材料で形成することもできるが、抗菌性表面、低い熱伝導率、柔軟性、軽量、ラテックスを含まない、非毒性、色、質感、硬度／反発力等（例えば、デュロメータによる計測）に限定されない。
【００６６】
基部１２０は、使用、輸送または保管に基づいて可撓性材料で形成してもよい。いくつかの実施形態では、使用者の皮膚に接触する突起が最大数となることを確実にするために、基部１２０を使用者の身体と一致させるか、またはある部位との接触を回避するために、柔軟性をもって形成してもよい。例えば、使用者は、臀筋部位と、その部位の内側のロール装置１００（すなわち、装置１００を包んでもよい）とを接触させる突起の最大数を望むかもしれないし、あるいは、使用者は、膝の後ろ側を避け、その部位との接触をしないように、装置１００を外側にする（すなわち、装置１００の向きを変える）ことができる。いくつかの実施形態において、着座面によって損傷を受けることなく、かつ着座面に損害を与えることなく、基部１２０は、着座面の大部分に一致するように柔軟性をもって形成してもよい。いくつかの実施形態では、基部１２０は、飛行機の座席、バスの座席に用いられる等、使用者が、所望の構成で、装置１００を位置決めできる柔軟性を有して形成されていてもよい。いくつかの実施形態では、基部１２０は、使用者がより簡単に運んだり、よりコンパクトに保管したりするために、装置１００を丸めることができるように、柔軟性を有して形成されていてもよい。
【００６７】
いくつかの実施形態において、基部１２０は、低い熱伝導率を有する材料で形成することができる。基部１２０が人間の皮膚と接触しているときに、熱伝導率が低いため皮膚の近くで熱を保持することができる。皮膚の近くで熱を保持することは、局部的に体温を都合よく上げることができる。いくつかの実施形態において、基部１２０は、１度（華氏）で、局部的な体温を上昇させてもよいし、３〜５度（華氏）で、局部的な体温を上昇させてもよい。局部的な体温を上昇させることにより血行が良くなるので、それらの部位で体温を上昇させることができる。
【００６８】
いくつかの実施形態において、基部１２０は、抗菌剤、バクテリア抵抗、あるいは細菌を伝播させる可能性を阻害または減少させる材料で形成することができる。いくつかの実施形態において、基部１２０は、使用後に、使用者が装置１００を容易に洗浄できるよう食器洗い機を用いてもよい。
【００６９】
いくつかの実施形態において、装置１００は、ＰＡのSmooth-On社から入手可能なPMC 780 Dry and Wetのようなポリウレタンエラストマ製品で形成することができる。その組成により、ほぼ不浸透性の表面を実現し、手または食器洗い機において洗浄することが容易であり、低い熱伝導率を有し、所望の柔軟性および硬度を有するように形成することができ、シミが付着せず、様々な色で形成することができる。他の材料および組成物を用いてもよい。
【００７０】
装置１００は、長さＬ１およびＬ２を有する端部１０２ａ、１０２ｂ、１０２ｃおよび１０２ｄを有して形成してもよい。一実施形態において、Ｌ１は、１３．４インチでもよい。一実施形態において、Ｌ１は、１３．６６５インチでもよい。一実施形態において、Ｌ２は、８．８７５インチでもよい。一実施形態において、Ｌ２は、９．２９インチでもよい。いくつかの実施形態において、少なくとも一つの端部は、１０〜２４インチの長さＬ１またはＬ２を有する。Ｌ１およびＬ２は、他の値をとってもよい。
【００７１】
装置１００の端部は、直線でも曲線でもよい。少なくとも一つの端部は、人が装置１００に座ることができ、装置１００に支持される人の臀部または大腿のほぼ全てを含めるような、長さＬ１またはＬ２を有してもよい。
【００７２】
装置１００には、基部１２０の平面上に位置する最上部または第一の表面から突出している突起１０１の配列１１０を有する基部１２０が形成されていてもよい。各突起１０１は、角錐等の角のある表面を有する幾何学的構成を有してもよいし、あるいは、円錐等の湾曲面を有していてもよい。突起１０１は、傾斜が変化する表面を有して形成されていてもよい。いくつかの実施形態において、各突起１０１は、鈍い（鋭利でない）先端部または端部で形成されていてもよい。鈍い先端部は、基部に近い第１の傾斜と、第１の傾斜ほど急勾配ではなく、先端部に近い第２の傾斜とで形成されていてもよい。例えば、第１の傾斜は、４５度の角度でもよく、第２の傾斜は、３０度の角度でもよい。角錐台および円錐台は、第２の傾斜が実質的にゼロでもよいという例である。図１Ｄに図示するように、各突起１０１は、基部１２０の最上部に対して、幅Ｗ、高さＨおよび角度Ａによって定義されてもよい。いくつかの実施形態において、Ｈは、０．２６５〜０．２５９インチとしてもよい。いくつかの実施形態において、Ｗは、０．５〜０．７５インチとしてもよい。いくつかの実施形態において、Ａは、１２０〜１５０度としてもよい。いくつかの実施形態において、突起１０１が他の突起と接触するように、幅Ｗは、幅Ｘまたは幅Ｙに対応してもよい。
【００７３】
突起１０１は、デュロメータを用いて計測可能な特定の硬度で形成されていてもよい。
デュロメータは、材料の硬度を計測する。この場合、硬度は、永く生じる押し跡に対する材料の抵抗として定義してもよい。デュロメータでの計測が、ポリマー、エラストマおよびゴム等の硬度の尺度として一般的に用いられる。使用中に、いかなる突起１０１の先端部も、押し跡または圧痕を使用者の皮膚に残すが、突起１０１は皮膚を突き通したり、突き刺したり、あるいは皮膚に永続的な損傷を引き起こさないように、高さＨ、幅Ｗ、角度Ａまたは硬度の一つ以上を選択してもよい。いくつかの実施形態において、突起１０１は、デュロメータでの計測で、１０〜１５０ＳｈｏｒｅＡの硬度を有してもよい。
【００７４】
突起１０１は、配列１１０の一部として形成してもよい。いくつかの実施形態では、配列１１０は、行および列を有して形成してもよい。いかなる行または列にある突起１０１の数を変えてもよい。例えば、図１Ａに図示するように、配列１１０は、所望の見た目を有するように成形してもよく、突起１０１は、これに従って間隔を置いて配置してもよい。配列１１０の突起１０１の数は、突起１０１の大きさ、間隔および形状に基づいて変えてもよい。配列１１０は、他の突起１０１と近接して形成してもよい。いくつかの実施形態では、突起１０１は、他の突起１０１と接触していてもよい。
【００７５】
図２は、持ち運び可能なマット（装置２００）の一実施形態の一部の詳細斜視図を示す。装置２００は、突起２０１の配列２１０を有してもよい。突起２０１の配列２１０は、上述の突起１０１の配列１１０の一実施形態でもよい。突起同様に、軟部組織において、所望の解剖学的あるいは生理的違いに合うように、突起２０１を成形し、大きさを設定し、間隔をあけて配置してもよい。これらの違いにより、突起２０１を用いて、軟部組織から流体を排出させ、その部位の血流を増加し、軟部組織において流体が蓄積するのを阻害または防止する刺激作用を起こし、または、その部位のセルライトの見た目を減少させる結果となる他の生理的違いを引き起こすことが可能となる。
【００７６】
配列２１０は、突起２０１の列および行を含んでもよい。各突起２０１は、配列２１０の他の突起２０１に近接していてもよいし、配列２１０の他の突起２０１と接触していてもよい。各突起２０１は、皮膚への損傷を防止するように形成され、その大きさがきめられた鈍い先端部または端部２０５を有してもよい。本明細書では、「先端部（tip）」という言葉は、皮膚との非経皮、非浸透な接触として構成される突起２０１の一部についていう。突起２０１の先端部２０５は、皮膚との接触の後、皮膚に押し跡を生じさせるためにその大きさを設定し成形してもよいが、神経、血管、リンパ節、骨または他の組織に損傷を与えることはない。実施形態では、神経の損傷、はん痕組織の増強等、皮膚への損傷を防止または回避してもよい。例えば、使用者が、一定の時間（例えば、５分、１０分、３０分等）、装置２００に着座する、あるいは皮膚を接触させて、圧力をかけることで突起２０１は押し跡を皮膚に残すが、装置２００が皮膚との接触から離されると、短い時間（例えば、５〜４５分）で押し跡がなくなって消えるように、先端部２０５または突起２０１を、成形し、間隔を置いて配置し、大きさを設定してもよい。当業者であれば、押し跡の大きさ、形状および間隔は、体重、性別、体型、セルライトの有無や程度、年齢等、他の要因の影響を受けるが、これらには限定されないことを理解するであろう。
【００７７】
図３は、持ち運び可能なマット（装置３００）の一実施形態の側面図を示し、基部上の突起の異なる構成を例示する。装置３００は、上記の装置１００の一実施形態でもよい。この例では、基部３２０は、基部３２０全体に実質的に一定の厚みを有してもよいが、基部３２０上の突起の輪郭は、基部３２０全体で異なっていてもよい。図３に図示するように、基部３２０は、第１の厚みＴ１を有し、第１端部から第１端部の反対側の第２端部まで、第１端部から中央近くの領域まで、あるいはその組合せで、大きさ（例えば、高さ）を変えてもよい。例えば、一実施形態において、突起３０２のＤ１は、突起３０１のＤ２より小さくなるように、装置３００上の突起の配列３１０の高さを、第１端部に向かって漸減することができる。利点は、このように漸減させたり、高さを小さくしたりすることによって、装置３００が膝近くなるにつれて漸減するように大腿の下で用いることができることである。この部位の突起３０１は低くなっていくので、膝のくぼみの組織への圧力を最小限にすることができるので、より良好な血行およびリンパドレナージュを可能にして、血流を制限する可能性を低くすることかできる。
【００７８】
図４は、持ち運び可能なマット（装置４００）の一実施形態の他の側面図を示す。装置４００は、図３において示される装置３００を９０度回転させた一実施形態でもよい。図４に図示するように、突起の配列４１０は、第１端部から、この第１端部の反対側の第２端部まで延在してもよい。Ｄ３およびＤ４に例示するように、突起は２つの端部の間で、高さを変えてもよい。突起が２つの端部の間で高さ（Ｄ１およびＤ２）を変えてもよい図３に示す例と結合して、図４では、突起４０１、４０２、４０３、および４０４で示すように、突起の配列４１０が端部に向かって高さを変えることができる例示の実施形態を示す。必要および／または要求に応じて、当業者は、Ｄ１、Ｄ２、Ｄ３およびＤ４を実施の状態により変えてもよいことを理解するであろう。
【００７９】
図５および図６は、持ち運び可能なマットの実施形態の側面図を示す。図５に図示するように、装置５００は、基部５２０の第１の側部から突出する突起５０１の配列５１０と、基部５２０の第２の側部から突出する突起５０１の配列５１５とを有する基部５２０を有していてもよい。図６に図示するように、装置６００は、基部６２０の第１の側部から突出する突起６０１の配列６１０と、基部６２０の第２の側部から突出する突起６１６の配列６１５とを有する基部６２０を有していてもよい。
【００８０】
図６に例示するように、突起６０１は、ピラミッド状等の角度があってもよく、突起６１６は、半球状等、湾曲していてもよいし、あるいは突起６０１とは異なる形状をしていてもよい。利点は、異なる形状、硬度、大きさ等を有する突起を有する２つの側部それぞれにより、使用者が装置６００の効果を制御および／または選択できるようにしてもよいことである。例えば、使用者は、より長い時間、第１の側部に着座することができるようにしてもよいし、使用者は、一方の側部よりも他方の側部、あるいは何らかの理由に関係した結果を求めてもよい。
【００８１】
図７から図９は、持ち運び可能なマットシステムの様々な実施形態の上面図を示す。具体的には、システム７７０は、２つの半分の部分７００、７００'を含んでいてもよい。各半分の部分７００、７００'は、尖頭の突起７０１、７０１'の配列７１０、７１０'を有してもよい。図７に図示するように、半分の部分７００、７００'は、対称形でもよい。いくつかの実施形態において、半分の部分７００、７００'は、相補的、同一、非対称、あるいはミラーリングの状態でもよい。半分の部分７００、７００'は、着席する使用者の大腿または臀部と接触している突起７０１、７０１'の数を最大にするように成形してもよい。図７に図示するように、半分の部分７００、７００'は、略直線の第１の端部と、使用者の臀部および大腿の側面に基づいて湾曲を有する第２の端部とを有してもよい。略直線の端部を有することにより、半分の部分７００、７００'が「Ｖ」または「ＩＩ」の構成で、使用者が位置することができ、半分の部分７００、７００'が、使用者の肢のより大きな表面部位に処置を施すために、その肢に対して配置されるか、または、半分の部分７００、７００'の両方が、大腿または臀部それぞれの外側に配設される。湾曲する端部を有することにより、突起７０１、７０１'との接触を最適化するか、または、突起７０１、７０１'との接触を回避するために、使用者が半分の部分７００、７００'それぞれに合わせることができるようにしてもよい。システム７７０は、キット（kit）（図示せず）の一部を形成してもよく、使用者が、システム７７０の位置決めを行う、あるいはシステム７７０あるいは他のツールを所望の位置に保持するのを助けるために、キャリングケース、洗浄用材料、ベルト、あるいはストラップをも含めてもよい。
【００８２】
図８は、２つの半分の部分８００、８００'を有するシステム８８０の一実施形態を示す。各半分の部分８００、８００'は、円錐形状の突起８０１、８０１'の配列を有８１０、８１０'を有していてもよい。図８に図示するように、半分の部分８００、８００'は、対称形でもよく、それぞれ、卵形または矩形の長細い形状をしていてもよい。持ち運び可能なマットの基部は、他の形状でもよい。いくつかの実施形態において、半分の部分８００、８００'は、相補的、同一、非対称、あるいはミラーリングの状態でもよい。半分の部分８００、８００'は、着座する使用者の大腿または臀部と接触する突起８０１、８０１'の数が最大になるように形成してもよい。図８に図示するように、半分の部分８００、８００'は、略直線である第１の端部と、使用者の臀部および大腿の輪郭に基づいて湾曲を有する第２の端部とを有してもよい。略直線である端部を有することは、使用者は、半分の部分８００、８００'を「Ｖ」または修正した「Ｖ」構成とすることができる。すなわち、半分の部分８００、８００'の両方は、肢のより大きな表面部位を処置するために、使用者の一つの肢に対して配置、あるいは半分の部分８００、８００'の両方は、各大腿または臀部の外側に配置される。湾曲する端部を有することにより、使用者が半分の部分８００、８００'を、突起８０１、８０１'との接触を最適化する、または突起８０１、８０１'との接触を回避することができる。システム８８０は、キット（図示せず）の一部を形成してもよく、使用者が、システム８８０の位置決めを行うかまたはシステム８８０あるいは他のツールを所望の位置に保持するのを助けるために、キャリングケース、洗浄用材料、ベルト、あるいはストラップをも含めてもよい。
【００８３】
いくつかの実施形態は、同様に他の変形例を含んでもよい。図９は、基部９２０、９２０'を有するシステム９８０の一実施形態を示す。基部それぞれはキット（図示せず）の半分を構成してもよい。基部９２０、９２０'は、尖頭の突起９０１、９０１'の 配列９１０、９１０'を有してもよい。図９に図示するように、基部９２０、９２０'は円形で、尖頭の突起９０１は半球形、角度のある、あるいは円錐でもよい。当業者は、他の形状または形状の組合せが可能であることを理解するであろう。
【００８４】
いくつかの実施形態において、上記の装置およびシステムは、輸送または保管のために一緒に取り付けられていてもよい。いくつかの実施形態において、上記の装置およびシステムは、輸送、保管または使用のために一緒に取り付けられていてもよい。２台の装置、基部等の結合は、固定接続、ヒンジ接続、または他の形式での接続をしていてもよい。接続は永続的でもよいし、装置、基部等は接続されているが、必要に応じて切り離してもよい。利点は、構成要素を切り離す、または構成を修正することができることなので、さまざまな体型、重量等を有する人々を処置するいくつかの実施形態を有する。
【００８５】
本開示の態様およびさまざまな特徴とその詳細の利点が、例示を参照することにより完全に説明されているので、本願明細書に例示され記載されている実施形態に限定されない。しかしながら、詳細な説明および具体例は、いくつかの実施形態を示しているが、例示の目的であり、限定するものではないことが理解されるべきである。例えば、いくつかの実施形態によっては、パッドが、ラップトップ、文書業務または雑誌等のアイテムのキャリングケースとなるように折りたたむことができるように、持ち運び可能なマットは、マットの長さに沿って取り付けられる同じまたは類似の形状および大きさの２つのパッドを有してもよい。他の例として、いくつかの実施形態によっては、持ち運び可能なマットは、２つの半分の部分が可撓性材料により結合されているので、さまざまなものに置かれていてもよいが、互いの配置と距離には制限がある。
【００８６】
さらにまた、詳細な開示を不必要に不明瞭にしないために、周知の材料および製造方法の説明は、省略する。発明の概念の範囲内において、さまざまな置換、変形例、追加および／または再配置が、この開示から当業者にとって明らかであろう。
【００８７】
本明細書で使用する用語である、「comprises」「comprising」「includes」「including」は、「has」「having」またはその他変形も、排他的でない包含を意図している。例えば、一覧の構成要素を含む方法、製品、物品または装置は、それらの要素だけに限定されず、明示的に記載されていない他の要素、あるいは方法、方法、物品または装置に固有の他の要素を含んでもよい。さらに、本明細書で用いられる用語である「or」は、通常、特に明記しない限り「および／または」を意味するよう意図している。例えば、状態ＡまたはＢは、以下のいずれか一つによって満たされる。Ａが真で（または存在し）、Ｂは誤り（または存在しない）、Ａは誤りで（または存在しない）、Ｂは真である（または存在し）、ＡおよびＢは真である（または存在する）。本明細書で使用するように、添付の付録を含み、「a」または「an」の後の用語は（先行詞が「a」または「an」の場合は「the」）は、別途明らかに示さない限り（すなわち、「a」または「an」が明らかに単数だけまたは複数だけを示していない限り）単数と複数の両方を含む。また、本明細書に添付の付録で用いられるように、「in」は、別途明らかに示さない限り、「in」と「on」を意味する。本開示の範囲は、以下の請求項およびそれらの法律上の等価物で判定されなければならない。
【図１Ａ】
0006750942.tif 000002
【図１Ｂ】
0006750942.tif 000003
【図１Ｃ】
0006750942.tif 000004
【図１Ｄ】
0006750942.tif 000005
【図２】
0006750942.tif 000006
【図３】
0006750942.tif 000007
【図４】
0006750942.tif 000008
【図５】
0006750942.tif 000009
【図６】
0006750942.tif 000010
【図７】
0006750942.tif 000011
【図８】
0006750942.tif 000012
【図９】
0006750942.tif 000013